(57)【要約】【課題】  冷房運転時に、筐体底面の第二吸い込み口１４から吸い込まれた室内空気を熱交換器２の上流側まで導く吸い込み風路１６の内壁面への結露を防止するとともに、吸い込み風路１６内壁面を清潔にすることができるようにする。【解決手段】  吹き出し口４の後方で筐体２の底面に開口する第二吸い込み口１４と、背面側を吹き出し風路壁７にて仕切られた吹き出し風路６と、吹き出し風路壁７の後方に形成され、第二吸い込み口１４から吸い込まれた室内空気が熱交換器２の上流側まで流れる吸い込み風路１６と、吹き出し風路壁７の背面に接して設置される断熱材２０と、を備えたものであり、さらには断熱材２０の後方に、断熱材２０の背面を覆う非発泡成形された樹脂製の断熱材カバー２１を有しているものである。【選択図】  図４
2015169422.tif 000002
【特許請求の範囲】
【請求項１】
上面に第一吸い込み口、前面側下部に吹き出し口が形成され、内部に送風ファン、該送風ファンの上流側に配置される熱交換器を有する筐体と、
前記吹き出し口の後方で前記筐体の底面に開口する第二吸い込み口と、
前記送風ファンから前記吹き出し口に至り、背面側を吹き出し風路壁にて仕切られた吹き出し風路と、
前記筐体の内部で前記吹き出し風路壁の後方に形成され、前記第二吸い込み口から吸い込まれた室内空気を前記熱交換器の上流側に導く吸い込み風路と、
前記吹き出し風路壁と前記吸い込み風路との間で、前記吹き出し風路壁の背面に接して設置される断熱材と、
を備えたことを特徴とする空気調和機の室内機。
【請求項２】
前記断熱材の後方に、前記断熱材の背面を覆う非発泡成形された樹脂製の断熱材カバーを備え、
前記吸い込み風路には前記断熱材が面することなく前記断熱材カバーが面していることを特徴とする請求項１に記載の空気調和機の室内機。
【請求項３】
前記断熱材カバーが、前記吹き出し風路壁に取り付け固定されることを特徴とする請求項２に記載の空気調和機の室内機。
【請求項４】
前記断熱材が、発泡樹脂であることを特徴とする請求項１〜３のいずれかに記載の空気調和機の室内機。
【請求項５】
上面に第一吸い込み口、前面側下部に吹き出し口が形成され、内部に送風ファン、該送風ファンの上流側に配置される熱交換器を有する筐体と、
前記吹き出し口の後方で前記筐体の底面に開口する第二吸い込み口と、
前記送風ファンから前記吹き出し口に至り、背面側を吹き出し風路壁にて仕切られた吹き出し風路と、
前記筐体の内部で前記吹き出し風路壁の後方に形成され、前記第二吸い込み口から吸い込まれた室内空気を前記熱交換器の上流側に導く吸い込み風路と、
前記吹き出し風路壁と前記吸い込み風路との間に形成され、内部に空気が存在する密閉された空間と、を備え、
前記空間が、
前記吹き出し風路壁と、該吹き出し風路壁から後方に定められた距離を隔てて位置し前記吸い込み風路に面する板状部材と、前後方向に突出して前記吹き出し風路壁と前記板状部材とを接続する板状のリブと、に囲まれ、前記リブが周壁となって形成されていることを特徴とする空気調和機の室内機。
【請求項６】
前記吹き出し風路壁から前記板状部材に向かって、および前記板状部材から前記吹き出し風路壁に向かって、それぞれ前記リブが突出され、互いの前記リブの先端が接合されて前記空間の周壁をなしていることを特徴とする請求項５に記載の空気調和機の室内機。
【請求項７】
前記筐体に脱着可能に取り付けられ、回動して前記第二吸い込み口を開閉する開閉板を備え、
前記開閉板は、回動の支点を後端部に有し、前端が下向きに前から後へと回動することで、前記第二吸い込み口を開口する構成であることを特徴とする請求項１〜６のいずれかに記載の空気調和機の室内機。
【請求項８】
上面に第一吸い込み口、前面側下部に吹き出し口が形成され、内部に送風ファン、該送風ファンの上流側に配置される熱交換器を有する筐体と、
前記吹き出し口から吹き出される吹き出し風の上下方向の向きを調整する上下風向板と、
前記吹き出し口の後方で前記筐体の底面に開口する第二吸い込み口と、
前記送風ファンから前記吹き出し口に至り、背面側を吹き出し風路壁にて仕切られた吹き出し風路と、
前記筐体の内部で前記吹き出し風路壁の後方に形成され、前記第二吸い込み口から吸い込まれた室内空気を前記熱交換器の上流側に導く吸い込み風路と、
回動して前記第二吸い込み口を開閉する開閉板と、
当該空気調和機の室内機の運転を制御する制御装置と、を備え、
前記開閉板が、回動の支点を後端部に有し、前端が下向きに前から後へと回動することで前記第二吸い込み口を開口する構成であって、
前記制御装置が、
当該空気調和機の暖房運転開始時に、前記熱交換器の温度Ｔｈが予め定められた温度Ｔａ以上となるまで、もしくは当該暖房運転の開始から予め定められた時間が経過するまで、前記開閉板を開いて前記第二吸い込み口を開口させるとともに、前記上下風向板の向きを調整して、前記吹き出し風の少なくとも一部が前記第二吸い込み口に流れるショートサーキットを形成することを特徴とする空気調和機の室内機。
【請求項９】
前記制御装置は、
前記吹き出し風の少なくとも一部が重力方向、もしくは重量方向よりも後方に傾斜した方向に吹き出るように前記上下風向板の向きを調整することを特徴とする請求項８に記載の空気調和機の室内機。
【請求項１０】
前記制御装置は、
前記熱交換器の温度Ｔｈが予め定められた温度Ｔａ以上となったら、もしくは当該暖房運転の開始から予め定められた時間が経過したら、前記開閉板を閉じ、それ以降の暖房運転中は前記開閉板を開けないことを特徴とする請求項８または請求項９に記載の空気調和機の室内機。
【発明の詳細な説明】
【技術分野】
【０００１】
この発明は、空気調和機の室内機に関し、特に、壁掛けタイプで筐体の底面に第二吸い込み口を有する空気調和機の室内機に関するものである。
【背景技術】
【０００２】
室外機と室内機とを有するセパレート型の空気調和機の室内機にあって、空調する部屋の壁面上部に設置される壁掛けタイプの室内機の多くは、室内機の筐体の上面に室内空気の入口となる吸い込み口が形成されている。そして筐体の内部に熱交換器と室内ファンを有し、室内ファンの回転によって上面の吸い込み口から筐体内部に導いた室内空気を熱交換器にて冷やしたり暖めたりして調和空気とし、筐体下部の前面側に形成される吹き出し口から室内へと吹き出している。
【０００３】
冷房運転時に吹き出し口から吹き出される調和空気は、室内空気よりも低温な冷気であって室内空気よりも比重が大きいので、室内の下側に移動しようとする。そこで、冷房運転時に空調対象室内の空気の循環を良好とするために、筐体の上面の吸い込み口（以降、第一吸い込み口）とは別に、さらに筐体底面の吹き出し口より背面側（壁面寄り）となる位置に第二吸い込み口が形成されている室内機もある。（例えば特許文献１参照。）
【０００４】
このような筐体底面の第二吸い込み口には、回動してこの第二吸込み口を開口させたり閉じたりする開閉板が設けられている。そして、熱交換器を通過した空気を吹き出し口へと導く吹き出し風路の背面側には、吹き出し風路壁を隔てて、第二吸い込み口と筐体内部の熱交換器の上流側空間とを連通する吸い込み風路が形成される。
【０００５】
吸い込み風路は、吹き出し風路の背面側の隔壁となる吹き出し風路壁を挟んで、吹き出し風路と室内機の前後方向に隣り合っている。このため吹き出し風路壁は、前面が吹き出し風路に面し、その裏面となる背面が吸い込み風路に面していることになる。
【０００６】
室内送風ファンの回転により第二吸い込み口から吸い込まれた室内空気は、この吸い込み風路を上方へと流れ、熱交換器の上流側空間に流入し、ここで第一吸い込み口から吸い込まれた室内空気と合流して熱交換器を通過する。吸い込み風路を出た後の室内空気は、熱交換器を通過する前に熱交換器の上流側を覆っているエアフィルターを通過する。これにより空気中に含まれている塵埃が、そのエアフィルターに捕捉される。
【先行技術文献】
【特許文献】
【０００７】
【特許文献１】特開２０１２−２２００６２号公報（００３８〜００４４欄、００５４〜００６１欄、図１、図５）
【発明の概要】
【発明が解決しようとする課題】
【０００８】
特許文献１に示すような吹き出し風路の背面側に、吹き出し風路壁を隔てて吸い込み風路を有する空気調和機の室内機においては、冷房運転時には、熱交換器で冷却されて室内空気よりも温度が低下した調和空気が吹き出し風路を流れるので、吹き出し風路壁もその調和空気により冷やされる。その結果、吹き出し風路壁の背面が面している吸い込み風路内を流れる室内空気中に含まれる水蒸気が、吹き出し風路壁により冷やされて凝縮し、吹き出し風路壁の背面に水滴（結露水）となって付着する。
【０００９】
このように、冷房運転時もしくは除湿運転時には、第二吸い込み口から吸い込まれる湿った室内空気により、吸い込み風路の内壁面に結露が生じることがあるため、付着した結露水が室内機外へ落下しないような手段を備えないとならないという課題があった。
【００１０】
また、第二吸い込み口から筐体内部に導かれる室内空気は、吸い込み風路を経てからエアフィルターを通過するため、吸い込み風路の内壁面には、エアフィルター通過前の室内空気中に含まれる塵埃が付着するという課題があった。
【００１１】
また、筐体底面の第二吸い込み口により、冷房運転時には冷気のよどみをなくし室内の空気の循環を良好する効果を奏するが、暖房運転時には筐体底面の第二吸い込み口が有効利用されていないという課題があった。
【００１２】
この発明は、上記のような課題を解決するためになされたもので、冷房運転時に、筐体底面の第二吸い込み口から吸い込まれた室内空気を熱交換器の上流側まで導く吸い込み風路の内壁面に結露が生じるのを防止するとともに、吸い込み風路内壁面を清潔にすることができる空気調和機の室内機を提供することを目的とする。
【００１３】
またこの発明は、暖房運転時に、筐体底面の第二吸い込み口を利用して、ユーザ（使用者）の運転開始指示から短時間で吹き出し口からユーザが所望する温度の温風を吹き出すことができる空気調和機の室内機を提供することを目的とする。
【課題を解決するための手段】
【００１４】
この発明に係る空気調和機の室内機は、上面に第一吸い込み口、前面側下部に吹き出し口が形成され、内部に送風ファン、該送風ファンの上流側に配置される熱交換器を有する筐体と、吹き出し口の後方で筐体の底面に開口する第二吸い込み口と、送風ファンから吹き出し口に至り、背面側を吹き出し風路壁にて仕切られた吹き出し風路と、筐体の内部で吹き出し風路壁の後方に形成され、第二吸い込み口から吸い込まれた室内空気を熱交換器の上流側に導く吸い込み風路と、吹き出し風路壁と吸い込み風路との間で、吹き出し風路壁の背面に接して設置される断熱材と、を備えたものであり、さらには断熱材の後方に、断熱材の背面を覆う非発泡成形された樹脂製の断熱材カバーを有して、吸い込み風路には断熱材が面することなく断熱材カバーが面しているものである。
【００１５】
また、この発明に係る空気調和機の室内機は、上面に第一吸い込み口、前面側下部に吹き出し口が形成され、内部に送風ファン、該送風ファンの上流側に配置される熱交換器を有する筐体と、吹き出し口から吹き出される吹き出し風の上下方向の向きを調整する上下風向板と、吹き出し口の後方で筐体の底面に開口する第二吸い込み口と、送風ファンから吹き出し口に至り、背面側を吹き出し風路壁にて仕切られた吹き出し風路と、筐体の内部で吹き出し風路壁の後方に形成され、第二吸い込み口から吸い込まれた室内空気を熱交換器の上流側に導く吸い込み風路と、回動して第二吸い込み口を開閉する開閉板と、当該空気調和機の室内機の運転を制御する制御装置と、を備え、開閉板が、回動の支点を後端部に有し、前端が下向きに前から後へと回動することで第二吸い込み口を開口する構成であって、制御装置が、当該空気調和機の暖房運転開始時に、熱交換器の温度Ｔｈが予め定められた温度Ｔａ以上となるまで、もしくは当該暖房運転の開始から予め定められた時間が経過するまで、開閉板を開いて第二吸い込み口を開口させるとともに上下風向板の向きを調整して、吹き出し風の少なくとも一部が第二吸い込み口に流れるショートサーキットを形成するものである。
【発明の効果】
【００１６】
この発明によれば、冷房運転時に、筐体底面の第二吸い込み口から室内空気を熱交換器の上流側まで導く吸い込み風路で室内空気中の水分が結露するのを防止できるとともに、吸い込み風路の内壁面を清潔にすることが可能な空気調和機の室内機を得ることができる。
【００１７】
また、この発明によれば、筐体底面の第二吸い込み口を利用して、使用者の暖房運転開始指示から短時間で吹き出し口から温風を吹き出すことが可能な空気調和機の室内機を提供することができる。
【図面の簡単な説明】
【００１８】
【図１】この発明の実施の形態１における室内機の斜視図である。
【図２】図１の室内機の開閉板が開いた状態の斜視図である。
【図３】図１の室内機の縦断面図である。
【図４】図２の室内機の縦断面図である。
【図５】図１の室内機における開閉板の単体斜視図である。
【図６】図１の室内機に取り付けられた状態の開閉板の部分斜視図である。
【図７】この発明の実施の形態２における室内機の縦断面図である。
【図８】この発明の実施の形態３における室内機の縦断面図である。
【図９】図８の室内機における暖房運転時の制御フローチャートである。
【発明を実施するための形態】
【００１９】
実施の形態１．
図１および図２は、この発明の実施の形態１に係る空気調和機の室内機１００を斜め下方から見た斜視図であり、図１は運転停止の状態、図２は冷房運転中の状態を示している。また、図３および図４は、その室内機１００の縦断面図であり、図３が図１に対応した運転停止の状態、図４が図２に対応した冷房運転中の状態を示している。この室内機１００は、屋外に設置される室外機（図示なし）と冷媒配管で接続されており冷凍サイクル回路が構成されている。
【００２０】
室内機１００は、空調する部屋の壁面上部に設置される壁掛けタイプであり、図１から図４に示すように、背面ケース１１と前面枠体１２から成り、左右方向が長い直方体状の筐体１０を有し、その筐体１０の内部に、送風ファン１と、その送風ファン１の上流側に送風ファン１を囲うように、下向きにＶ字形状の熱交換器２とが配置されている。熱交換器２は、筐体１０内部の前面側に位置する前側熱交換器２ａと背面側に位置する背面側熱交換器２ｂとから構成されている。送風ファン１は細長い円筒状のクロスフローファンで、その長手方向が筐体１０の左右方向となるように水平に配置されている。
【００２１】
筐体１０の正面には、上部を支点に上下方向に回動することで開閉可能な前面意匠パネル１３が取り付けられている。なおここでは、室内機１００に対して、この室内機１００が設置される部屋の壁面側の方向を背面側や後方、または奥側、後側と、その反対方向を前面側や前方、または正面側、前側と呼ぶこととし、この前面側と背面側を結ぶ方向を前後方向もしくは奥行き方向と呼ぶものとする。
【００２２】
筐体１０の上面には、室内空気の入口となる格子状に形成された第一吸い込み口３が設けられている。そして筐体１０の前面側下部には、この室内機１００の左右方向に長く伸びる吹き出し口４が形成されている。吹き出し口４と筐体１０の長手方向は同じ方向となる。また、筐体１０の内部には、この室内機１００の運転を制御する制御装置３０が設置されている。制御装置３０は制御基板を有し、その基板上に室内機１００を運転制御するためのマイクロコンピュータを含む回路が構成されている
【００２３】
吹き出し口４には、室内への吹き出し風の風向を上下方向に調整する板状の上下風向板５が設置されており、室内機１００の運転停止中は、図１および図３に示すように、上下風向板５が吹き出し口４を覆うような向きとなっている。上下風向板５は、図３および図４に示すように、前後方向に分かれた前側上下風向板５ａと後側上下風向板５ｂから成り、それぞれ別々の駆動モータにより独立した回動制御が可能となっていて、制御装置３０の指示に基づき回動して上下方向に角度を変更することで、吹き出し風の上下方向を変化させる。
【００２４】
送風ファン１の下流には、送風ファン１からその送風ファン１よりも下方に位置する吹き出し口４に至るまでの吹き出し風路６が形成されており、その吹き出し風路６は背面側を曲面状の吹き出し風路壁７にて仕切られている。吹き出し風路壁７は吹き出し風路６に対して凹むように湾曲しており、背面ケース１１の前側に固定されている。
【００２５】
吹き出し風路６内で上下風向板５の奥側には、室内への吹き出し風の風向を左右方向に調整する左右風向板８が設置されている。左右風向板８は、吹き出し口４の左右方向に並列する複数の板状羽根から構成され、それら板状羽根が制御装置３０の指示に基づき左右方向に角度を変更することで、吹き出し風の左右方向を変化させる。
【００２６】
筐体１０内部で熱交換器２の上流側には、筐体１０の内部に吸い込まれる室内空気中の塵埃を捕捉するエアフィルター９が設置されている。第一吸い込み口３および後述する第二吸い込み口１４から吸い込まれた室内空気は、このエアフィルター９を通過した後で熱交換器２に流入する。
【００２７】
吹き出し口４の後方、すなわち壁面側で、筐体１０の底面（下面）には、室内空気の入口となる第二吸い込み口１４が形成されている。第二吸い込み口１４は、筐体１０の底面に、筐体１０の左右方向に細長い長方形状に開口しており、この室内機１００では、背面ケース１１の底面に形成されている。第二吸い込み口１４には、前後方向の端部を支点に前後方向に回動して、第二吸い込み口９を開閉する長方形状の開閉板１５が取り付けられている。この室内機１００では、開閉板１５の後端部に回動の支点を設け、開閉板１５が閉じた状態から、開閉板１５の前端が下向きに前側から壁面側へと弧を描くように８０度回動することで第二吸い込み口１４が開口される。開閉板１５の開閉は駆動モータによって行われ、制御装置３０により制御される。回動角度は８０度に限定されるものではないが、最大でも９０度とするのが望ましい。
【００２８】
図３、４に示すように、吹き出し風路６の背面側の仕切り壁である吹き出し風路壁７の後方には、第二吸い込み口９から吸い込まれた室内空気を、筐体１０内部で背面側熱交換器２ｂの上流側となる空間Ｓまで導く吸い込み風路１６が形成されている。第二吸い込み口１４から吸い込まれ吸い込み風路１６を通ってきた室内空気は、この空間Ｓにて、第一吸い込み口３から吸い込まれた室内空気と合流する。吸い込み風路１６の上端部には、吸い込み風路１６を流れる室内空気が空間Ｓへ流入するための流入口１７が形成されている。第二吸い込み口９と流入口１７とが吸い込み風路１６により連通している。エアフィルター９は、第一吸い込み口３を下流側で覆うとともに、この流入口１７も下流側で覆っている。
【００２９】
吸い込み風路１６は、前後左右を隔壁で囲まれ、第二吸い込み口１４（ただし開閉板１５が開いている状態）と流入口１７とが開口したおおよそ長方体状の空間である。吸い込み風路１６の背面側の隔壁となる後側風路壁１８は、背面ケース１１の背面壁が担っており、後側風路壁１８は背面ケース１１の一部である。後側風路壁１８を含む背面ケース１１は、樹脂材料のＰＳ（ポリスチレン）を非発泡射出成形した樹脂成形品である。なお、樹脂材料は、ＰＳに限らず、ＡＢＳ（アクリロニトリルブタジエンスチレン）やＰＰ（ポリプロピレン）のような他の汎用樹脂材料でもよい。
【００３０】
この室内機１００の冷房運転もしくは除湿運転時には、制御装置３０により開閉板１５が開き第二吸い込み口１４が開口されるが、吸い込まれる室内空気中の塵埃を捕捉するエアフィルター９が流入口１７の下流側にあるため、吸い込み風路１６を第二吸い込み口１４から流入口１７へと流れる室内空気は、エアフィルター９を通過する前の塵埃を含んだ状態の空気となる。このため、吸い込み風路１６を流れる室内空気に含まれる塵埃が、吸い込み風路１６の内壁面に付着し易い状況となっており、付着した塵埃やそれに伴う汚れを清掃して吸い込み風路１６の清潔を保つ必要がある。
【００３１】
吸い込み風路１６の前側の隔壁は、吹き出し風路６の後側となる部分と吹き出し風路６よりも上側となる部分とで構成が分かれている。まずは、吹き出し風路６よりも上側となる部分について説明する。この部分には前側風路壁１９が形成されており、この前側風路壁１９によって、背面側熱交換器２ｂの上流側空間である空間Ｓと吸い込み風路１６とが隔てられている。ただし、上述した流入口１７が前側風路壁１９に開口しており、この流入口１７により空間Ｓと吸い込み風路１６とは連通している。前側風路壁１９の前方には主として空間Ｓが位置し、奥側には吸い込み風路１６が位置するが、どちらも熱交換器２を通過する前の室内空気が存在する空間であるため、前側風路壁１９を挟んだ前後の空間の温度差はほとんどない。
【００３２】
この室内機１００では、前側風路壁１９は、吹き出し風路６の背面壁である吹き出し風路壁７と一体成形されていて、吹き出し風路壁７とともに背面ケース１１の前側に固定されている。なお、前側風路壁１９は、吹き出し風路７とは別体に成形してもよいし、背面ケース１１と一体成形してもよい。いずれにしても、吹き出し風路壁７も前側風路壁１９も、背面ケース１１（後側風路壁１８を含む）と同様に、ＰＳもしくはＡＢＳもしくはＰＰを非発泡射出成形した樹脂成形品とする。
【００３３】
続いて、吸い込み風路１６の前側の隔壁のうち、吹き出し風路６の後側となる部分について説明する。先に挙げた先行技術文献のような従来の室内機では、熱交換器にて温度調整された空気が吹き出し口に向かって流れる吹き出し風路と、筐体下面の第二吸い込み口から吸い込まれ熱交換器の上流側の空間に向かって室内空気が流れる吸い込む風路とが、吹き出し風路壁を挟んで、前後に隣り合っていた。すなわち、板状の吹き出し風路壁の前面が吹き出し風路に臨み、背面が吸い込み風路に面していた。
【００３４】
しかし、この実施の形態１に示す室内機１００では、図３、４に示されるように、吹き出し風路壁７の後方には、吹き出し風路壁７の背面に接して断熱材２０が設置されている。吹き出し風路７の背面は直接に吸い込み風路１６には面していない。ここでは、吹き出し風路壁７の背面に接着剤により断熱材２０を貼り付け固定している。なお、断熱材２０の固定は、接着剤による貼り付け固定に限定されるものではない。例えば、吹き出し風路壁７の背面に、背面側へと突出する折り返し片や突起による固定枠を一体形成し、その固定枠に断熱材２０を嵌め込んで固定してもよい。ただし、接着剤による貼り付け固定の方が吹き出し風路壁７の背面と断熱材２０とを確実に接触させることができる利点がある。
【００３５】
この室内機１００では、断熱材２０として、断熱性が高く汎用性がある利点を活かして、発泡成形された発泡樹脂を用いており、その中でも特に汎用性の高いポリスチレン（ＰＳ）を発泡射出成形した発泡スチロール（発泡ポリスチレン）を使用している。なお、断熱材２０は発泡スチロールに限定するものではなく、発泡ポリエチレンや発泡ポリウレタンなど他の発泡樹脂であってもよい。また、発泡樹脂ではないガラス繊維でできたグラスウールなども利用可能である。
【００３６】
発泡樹脂製の断熱材２０は、吹き出し風路壁７の背面と接触させるために、後方に凹むように湾曲している吹き出し風路壁７に合わせて湾曲状に成形されている。このように、断熱材２０は吹き出し風路７の形状に合った形状に成形可能な発泡樹脂を用いる方が、吹き出し風路壁７の背面と断熱材２０とを接触させ易い。そしてその発泡樹脂の中でも、発泡成形が容易で特に汎用性の高い発泡スチロールをこの室内機１００では使用している。
【００３７】
この室内機１００を備えた空気調和機の冷房運転時もしくは除湿運転時では、制御装置３０により開閉板１５が開かれ、送風ファン１の回転により、筐体１０上面の第一吸い込み口３からだけでなく、筐体１０底面の第二吸い込み口１４からも室内空気が吸い込まれ、それら吸い込まれた室内空気は、熱交換器２を通過する際に熱交換器２内を流れる冷媒との熱交換により冷却され、温度が低下した調和空気となって吹き出し風路６を通って、吹き出し口４から吹き出される。
【００３８】
吹き出し風路壁７は、吹き出し風路６を流れる冷却後の調和空気を吹き出し口４まで案内しているので、この調和空気によって冷やされる。このため、第二吸い込み口１４から吸い込まれて吸い込み風路１６を流れる冷却前の室内空気の温度よりも、吹き出し風路壁７の表面温度は低くなる。吹き出し風路壁７の吹き出し風路６に面する表面だけでなく、熱伝導により吹き出し風路壁７の背面の表面温度も同様に、吸い込み風路１６を流れる室内空気の温度よりも低くなる。
【００３９】
先行技術文献として提示した特許文献１に示されるような従来の空気調和機の室内機であれば、冷房運転時の冷却された吹き出し風にて冷やされた吹き出し風路壁７の背面が、吸い込み風路１６に直接に面しているため、吸い込み風路１６を流れる室内空気の一部は、冷たい吹き出し風路壁７の背面によって冷やされてしまう。そのため、その室内空気中に含まれる水蒸気が吹き出し風路壁７の背面で凝縮し水滴となって付着し、いわゆる結露が生じてしまっていた。
【００４０】
しかしこの室内機１００では、前後に位置する吹き出し風路壁７と吸い込み風路１６との間に、吹き出し風路壁７の背面に接するようにして断熱材２０が設置されている。この断熱材２０によって、吸い込み風路１６を流れる室内空気と、冷房運転の吹き出し風で冷やされた吹き出し風路壁７と、の間の熱の出入りが遮断されるので、吸い込み風路１６を流れる室内空気が、吹き出し風路壁７によって冷やされることがない。そのため、吸い込み風路１６を流れる室内空気中の水分が凝縮することなく、吸い込み風路１６内での結露の発生が回避できる。よって、上述した従来の室内機では、吹き出し風路壁の背面に付着した結露水が第二吹き出し口から滴下するのを防止するために必要であった結露水の回収機構を、この室内機１００では省くことができる。
【００４１】
さらに、この室内機１００では、断熱材２０の後方（背面側）に、断熱材カバー２１を設置している。この断熱材カバー２１は、吹き出し風路壁７や背面ケース１１と同様に、ＰＳもしくはＡＢＳもしくはＰＰを非発泡射出成形した樹脂成形品であり、少なくとも断熱材２０の背面を覆っている。そのため、吸い込み風路１６には断熱材２０の背面が面しておらず、断熱材カバー２１の背面が吸い込み風路１６に面している。換言すれば、吹き出し風路６の後方に位置する吸い込み風路１６の前面側を仕切る壁面は、断熱材カバー２１となっている。
【００４２】
断熱材カバー２１は、吹き出し風路壁７に取り付けられて固定されている。吹き出し風路壁７に形成された穴もしくは段部もしくは端部に、断熱材カバー２１に形成された爪部（図示せず）を引っ掛けて固定している。ここでは、断熱材２０は吹き出し風路壁７の背面に接着剤により貼り付け固定されているので、断熱材２０と断熱カバー２１との間には、前後方向に隙間が存在している。
【００４３】
なお断熱材２０の固定については、接着剤を使用せずに、吹き出し風路壁７と断熱材カバー２１とで断熱材２０を挟んで保持するようにしてもよい。断熱材２０の弾性力を利用し、断熱材カバー２１で、断熱材２０を前後方向に少し圧縮させ吹き出し風路７に押し付けるように保持して、断熱材２０の吹き出し風路壁７背面への接触を確保するのである。このように断熱材２０を固定する場合には、断熱カバー２１は断熱材２０の背面に接触する。断熱材カバー２１の作用効果については後述する。
【００４４】
以上のように、この室内機１００では、吹き出し風路壁７の背面に接触させて断熱材２０を設置しているので、冷房運転中に吹き出し風路６の後方に位置する吸い込み風路１６を流れる室内空気中の水分が結露して、吸い込み風路１６の内壁面に水滴が付着してしまうことがなく、結露水の回収機構も不要とすることができるし、また、吸い込み風路１６の内壁面に結露水に起因したカビの発生を防止することができる。
【００４５】
ここで組み立て手順であるが、湾曲した板状部品である吹き出し風路壁７（前側風路壁１９を含む）の背面に断熱材２０を接着や嵌め込みで固定し、さらに断熱材２０の背面側に断熱カバー２１を固定してから、吹き出し風路壁７を背面ケース１１の前側に取り付け固定するようになる。断熱材２０を吹き出し風路壁７と断熱材カバー２１とで挟持して固定する場合でも、同様に断熱材２０を先に挟持させた後で、吹き出し風路壁７を背面ケース１１の前側に取り付ける。吹き出し風路壁７ではなく、断熱材カバー２１を背面ケース１１に取り付けることで吹き出し風路壁７を固定させてもよい。
【００４６】
吹き出し風路壁７と前側風路壁１９を別体で設ける場合には、吹き出し風路壁７の取り付け時に前側風路壁１９も背面ケース１１の前側上部に取り付ける。前側風路壁１９を吹き出し風路壁７に取り付けて固定するようにしてもよい。それぞれの取り付け構造は、爪係合によるものであるが、ネジ固定を使用してもよいし、爪固定とネジ固定とを併用してもよい。なお、図３および図４に示すように、背面ケース１１の背面下部には、熱交換器２に接続する冷媒配管２２が配置される。
【００４７】
この室内機１００では、第二吸い込み口１４を開閉する開閉板１５が、背面ケース１１に取り付けられている。図５は、その開閉板１５の単体斜視図であり、室内機１００において第二吸い込み口１４を閉じているときの状態を斜め上方から見ている図となっている。図５に示すように、開閉板１５は、矩形状の平板１５ａの左右両端のそれぞれの背面側（後端寄り）に支持片１５ｄが突設している。
【００４８】
そして、左側の支持片１５ｄの先端部には、外側面（左側面）から平板１５ａの長手方向と平行に円筒状の軸１５ｂが、平板１５ａの左端よりも左側に（外側に）突出して形成されており、右側の支持片１５ｄの先端部には、外側面（右側面）から、軸１５ｂと同軸状に中空円筒状のボス１５ｃが、平板１５ａの右端よりも右側に（外側に）突出して形成されている。平板１５ａ、軸１５ｂ、ボス１５ｃ、２つの支持片１５ｄは一体成形されており、背面ケース１１と同様な非発泡成形された樹脂成形品である。
【００４９】
また、平板１５ａの後端部には、長手方向（左右方向）の中央にて、別体のストッパー２３が固定されている。ストッパー２３は、平板１５ａの長手方向にスライド可能で、ストッパー２３の左側に突出するスライド軸２３ａを有し、つまみ部２３ｂの左右方向の動きに連動してスライド軸２３ａは左右方向に平行移動可能となっている。
【００５０】
図示されないが、背面ケース１１の第二吸い込み口１４の左右両縁の背面寄りにはそれぞれ軸受が形成されており、両軸受の中心は同軸である。開閉板１５が室内機１００に取り付けられた状態では、左側の軸受には軸１５ｂが回転自在に嵌合し、右側の軸受にはボス１５ｃが回転自在に嵌合する。そしてボス１５ｃの内周には駆動モータのモータ軸が固定され、モータ軸とボス１５ｃは同期回転する。駆動モータは背面ケース１１の底面の上側に固定されている。なお、右側の軸受がモータ軸を嵌合してよい。また、左右の構成が逆であってもよい。
【００５１】
図６は、開閉板１５が室内機１００に取り付けられ、第二吸い込み口１４を開口している様子を斜め下方から見た部分斜視図となっている。ここに図示されるように、背面ケース１１の第二吸い込み口１４の後縁の中央部分には軸受アーム２４が形成されており、アームの先端に中空円筒状の軸受部が形成されている。この軸受部にストッパー２３のスライド軸２３ａが回動自在に嵌合し、駆動モータの回転により、軸１５ｂ、ボス１５ｃ、スライド軸２３ａが同軸状を同期回転し、軸受を支点に平板１５ａが回動する。
【００５２】
このように開閉板１５は、回動の支点を平板１５ａの背面側（後端部）に置き、平板１５ａの前端が下向きに正面側（前）から奥側（後）に向かって弧を描くように回動することで、第二吸い込み口１４が開口され、逆に奥側（後）から正面側（前）に向かって上向きに回動することで、開口していた第二吸い込み口１４が閉ざされる。換言すると、開閉板１５は、回動の支点を後端部に有して前後方向に回動して第二吸い込み口１４を開閉する前開き構成となっている。
【００５３】
左右方向に細長い平板１５ａを、左右両端で回動支持するだけでなく、左右方向中央部においても軸受アーム２４で回動支持することにより、平板１５ａが自重によってたわむ変形、すなわち中央部分が下がって湾曲状となる変形が防止できる。なお、開閉板１５を回動する駆動モータの制御は制御装置３０が行う。冷房運転中もしくは除湿運転中は第二吸い込み口１４が開口され、リモコンから運転停止指示が室内機１００に届くと、駆動モータが回転し開閉板１５は閉じる。
【００５４】
この室内機１００では、この開閉板１５がユーザにより簡単に脱着することが可能であり、ここでその脱着方法について説明する。当該空気調和機の停止中に、開閉板１５をユーザが手で開ける。開閉板１５が閉じている状態では、少なくとも平板１５ａの前端および左右端と第二吸い込み口１４の前縁および左右縁との３箇所（３辺）には、１〜３ｍｍ幅の隙間が設けられている。この隙間に指先を入れる、もしくは引っ掛けて、平板１５ａを押下げれば、駆動モータのトルクに打ち勝って容易に開閉板１５ａは回動し、開いた状態にすることができる。
【００５５】
このように手動にて、最大開き角度である８０度まで回動させ開き状態にしたところで、この開閉板１５は正面側から奥側へと下方に回動して閉から開状態へとなる前開き構成であるため、開閉板１５の中央奥側に取り付けられているストッパー２３が正面を向いて露出される。ユーザはそのストッパー２３のつまみ部２３ｂをつまむ、もしくは指を押し付け、ここでは右側にスライドさせる。つまみ部２３ｂのスライドに連動してスライド軸２３ａが右側へ移動し、固定されている軸受アーム２４の軸受から外れ、スライド軸２３と軸受アーム２４の嵌合が解除される。
【００５６】
スライド軸２３と軸受アーム２４との嵌合を解除した状態では、細長い平板１５ａが左右両端でしか支持されていないため、平板１５ａの弾性を利用して容易にたわませられる。そこで左右方向の中央部を後方すなわち壁側へ凹ませるように押して湾曲状に弾性変形（たわみ変形）させることで、軸１５ｂとボス１５ｃのどちらか一方を軸受から外すことができ、それに続いて他方を軸受から抜くことで、背面ケース１１から開閉板１５を取り外すことができる。
【００５７】
取り外すことにより、開閉板１５を洗面所やお風呂場など別の場所で水洗いすることができ、付着した塵埃や汚れを除去でき、開閉板１５の清潔性を維持することができる。なお、平板１５ａをたわみ変形させて、軸１５ｂとボス１５ｃの両方をほぼ同時に嵌合している軸受から取り外してもよい。なお、手動で開閉板１５を開ける場合に、必ずしも最大開き角度まで開く必要はなく、ストッパー２３のつまみ部２３ｂをスライドさせられる状態であれば、最大開き角度よりも小さい開度であってもよい。ここで、開き角度とは、閉じた状態を０度として下向きに平板１５ａが回動する角度のことである。
【００５８】
取り外した開閉板１５を背面ケース１１に取り付ける場合には、上述の取り外し作業の逆を行えばよい。まず、軸１５ｂかボス１５ｃのどちらか一方を対応する軸受に嵌合し、平板１５ａを弓形にたわみ変形させて他方を軸受に嵌合させる。平板１５ａをたわませて軸１５ｂとボス１５ｃをほぼ同時に軸受に嵌合させるようにしてもよい。そして、開閉板１５を開いた状態の向きにしてストッパー２３を正面側に向け、つまみ部２３ｂを左側にスライドさせて、連動するスライド軸２３ａを軸受アーム２４に嵌合させることで取り付けが完了する。
【００５９】
このように、ユーザによる簡単な作業で開閉板１５の背面ケース１１への脱着が可能である。このため、開閉板１５を水洗いする頻度も上がり、開閉板１５の清潔性が維持される。開閉板１５が下向き前開きな構成であるため、ストッパー２３が正面を向いて露出する。そのため、室内機１００が設置されている壁面を向いて手動で開閉板１５を開く作業をしたユーザが、そのまま身体の向きを変えることなくストッパー２３を正面に見ながらつまみ部２３ａをスライドさせることができる。また、軸１５ｂおよびボス１５ｃを軸受から外す作業もユーザはそのまま正面にそれら操作対象を見ながら作業可能となる。これにより、取り外し作業が容易で、作業が確実に遂行できるとともに、ユーザが安心感を持ちながら作業することができる。取り付け作業時にも同様な効果がある。
【００６０】
開閉板１５は、前側に回動の支点を持たせ、後端が下向きに弧を描くように後から前へと回動するような後開きな構成であっても構わない。しかし、そのような後開きな構成で開閉板１５脱着しようとすると、ストッパー２３や軸１５ｂ、ボス１５ｃといった操作対象が平板１５ａの後方に位置することになり、それらを見ながら作業することが困難となる。それら操作対象を見ながら作業しようと思ったら、壁に向かっている身体の向きを変えたり、首を後ろへひねったりしなければならなくなり、作業姿勢が悪くなって作業性が低下する。このため、開閉板１５を脱着可能な構成とするのであれば、開閉板１５は前開き構成の方が作業性の点で極めて有利である。
【００６１】
開閉板１５を取り外すことで、第二吸い込み口１４は全面的に開口する。これにより、吸い込み風路１６の内壁面の清掃が容易となる。ユーザが、第二吸い込み口１４から、極細の合成繊維で塵埃を除去する市販のハンディモップを挿入して、吸い込み風路１６の内壁面に付着した塵埃を除去することが可能となる。第二吸い込口１４の奥行き幅（前後方向の幅）によっては、ユーザが雑巾を持った手を直接に第二吸い込み口１４から入れて、その雑巾で吸い込み風路１６の内壁面を清掃することができる。
【００６２】
ここで、吸い込み風路１６の内壁面とは、背面側は後側風路壁１８の壁面であり、これは上述のとおり樹脂の非発泡成形品である背面ケース１１の一部である。同様に前面側は、上部が前側風路壁１９の壁面で、これは吹き出し風路壁７と一体成形された樹脂の非発泡成形品である。そして前面側の下部は、別体の断熱材カバー２１の壁面で、これも上述のとおり樹脂の非発泡成形品である。吸い込み風路１６の内壁面のうち、左右両側の壁面を構成する隔壁は、ここではそれぞれ背面ケース１１に一体成形されている。ただし、これらは吹き出し風路７に一体成形されていてもよい。いずれにしても、左右両側の壁面も樹脂の非発泡成形品となる。
【００６３】
このように吸い込み風路１６の内壁面は前後左右の四方すべてが、非発泡射出成形による樹脂成形品で構成されていることになる。これにより、吸い込み風路１６に面する内壁面は四方すべてが凹凸のない滑らかな面となる。このため、ユーザがハンディモップや雑巾で、付着した塵埃や汚れを簡単に除去することができ、吸い込み風路１６の内部を清潔にすることができる。なお、ここで凹凸のないとは巨視的なものであり、ミクロンオーダーの微小な凹凸まで含んでいない。
【００６４】
このように吸い込み風路１６の内壁面の四方すべてを、樹脂の非発泡成形品の滑らかな面で構成させるために、この室内機１００では、断熱材２０の後方に樹脂の非発泡成形品である断熱材カバー２１を設置し、この断熱材カバー２１の背面を吸い込み風路１６に臨ませているのである。もしこの断熱材カバー２１を設置しない場合には、吸い込み風路１６の前側下部には発泡スチロールである断熱材２０が臨むことになる。
【００６５】
発泡スチロールのような発泡成形された樹脂成形品（発泡樹脂）は、その構造上、表面は凹凸のある粗い面となる。そのような面では凹み部に付着した塵埃や汚れが、ハンディモップや雑巾では除去できないこともあり、同じ清掃方法で清掃した場合では、断熱材カバー２１のような非発泡成形された樹脂成形品による滑らかな面と比べると、塵埃や汚れが残ってしまい、吸い込み風路１６の内部を清潔とすることができなくなる。
【００６６】
また、特にここで断熱材２０として使用している発泡スチロールは、静電気を帯びやすい性質がある。そのため、ハンディモップや乾いた雑巾で清掃した際に、それらとの摩擦によって静電気を帯びてしまい、室内空気中の塵埃が引き寄せられて付着し易くなるという悪循環が起こり得るのである。
【００６７】
断熱材２０が、発泡スチロール以外の発泡樹脂であっても、発泡スチロールと同様に表面は凹凸のある粗い面であって、吸い込み風路１６に直接的に断熱材２０を露出させれば、ハンディモップや雑巾等で拭くだけの簡単な清掃では、吸い込み風路１６の内壁面を清潔とすることができなくなる。また、断熱材２０としてガラス繊維から成るグラスウールを用いれば、その表面は綿状であって、そこに塵埃や汚れが付着すると、発泡樹脂よりもさらに除去するのが困難となる。
【００６８】
この室内機１００では、断熱材２０の背面を滑らかな面で構成される非発泡成形された樹脂成形品である断熱材カバー２１が覆い、断熱材２０が吸い込み風路１６に露出されることなく、断熱材カバー２１が吸い込み風路１６に面しており、吸い込み風路１６の内壁面が滑らかな非発泡成形された樹脂成形品で構成されているので、ユーザがハンディモップや乾いた雑巾で、断熱材カバー２１を含む吸い込み風路１６の内壁面に付着した塵埃や汚れを簡単に除去することができ、吸い込み風路１６の内部を清潔に維持することができる。
【００６９】
また、上記のように断熱材カバー２１を設置することにより、断熱材２０が吸い込み風路１６に露出することがないので、表面に付着した塵埃や汚れを除去するのが難しい断熱部材を断熱材２０として吹き出し風路壁７の背面に設置することができる。
【００７０】
そして、吹き出し風路壁７の背面に接するように断熱材２０を設置したことにより、冷房運転もしくは除湿運転時に、熱交換器２通過後の吹き出し風路６を流れる吹き出し風（冷風）で冷やされた吹き出し風路壁７と、吸い込み風路１６を流れる室内空気と、の間の熱の移動がその断熱材２０によって遮られるので、吸い込み風路１６を流れる室内空気が吹き出し風路壁７により冷やされることがなく、吸い込み風路１６の内壁面への結露の発生が回避できる。このため、吸い込み風路１６の内壁面には結露水に起因するカビの発生が防止でき、吸い込み風路１６内の清潔レベルをより高められる。また、吸い込み風路１６内の結露水の回収機構を不要とすることができる。
【００７１】
また、第二吸い込み口１４を開閉する開閉板１５をユーザが脱着できるようにしたので、開閉板１５を別の場所で水洗いすることもでき、開閉板１５も清潔に維持することができる。そして、開閉板１５を取り外すことで、第二吸い込み口１４の周囲に突出物がなくなるので、ユーザがハンディモップや雑巾を第二吸い込み口１４から挿し入れて吸い込み風路１６の内壁面を清掃する際に、その清掃作業がし易く、また付着した塵埃や汚れの除去能力が高くなる。
【００７２】
さらに、開閉板１５は回動の支点を後端部（背面側）に置き、前端が弧を描くように開く前開き構成としたことにより、ユーザによる開閉板１５の脱着の際、ユーザは開いた状態の開閉板１５に対して、身体や首をひねることなく操作対象を直接目で見ながら作業することができるので、開閉板１５の脱着作業を容易にかつ確実に実施することができる。
【００７３】
断熱材２０は、吹き出し風路６と吸い込み風路１６が前後方向に重なる領域（対象領域）すべてに設置されるのが理想である。しかし構造上の物理的な制約によって対象領域すべてに設置することが困難な場合もある。このような場合であっても、形状や厚さが異なる複数の断熱材２０を用いるなどして対象領域のできる限り広い範囲に設置することが望ましい。また、断熱材２０の背面をすべて断熱材カバー２１で覆うことが望ましく、そのために断熱材カバー２１を複数用いるようにしてもよい。
【００７４】
なお、この実施の形態１による室内機１００は、冷房運転や除湿運転だけでなく、暖房運転時であっても、上面の第一吸い込み口３からだけでなく、開閉板１５を開いて第二吸い込み口１４から室内空気を吸い込むようにしてもよい。
【００７５】
実施の形態２．
図７は、この発明の実施の形態２に係る空気調和機の室内機２００の縦断面図である。この図７において、図３および図４と同一の符号で示すものは、実施の形態１で説明した室内機１００と同一もしくは相当する部品であり、ここでの説明は省略する。図７に示す室内機２００が図４に示す室内機１００と異なる点は、吹き出し風路壁７と吸い込み風路１６を流れる室内空気との間の熱の出入りを抑える断熱構造である。
【００７６】
図７に示すようにこの室内機２００では、実施の形態１における室内機１００のように吹き出し風路壁７の背面には断熱材２０を設置せず、吹き出し風路壁７の後側で吹き出し風路壁７と吸い込み風路１６との間に、内部に空気が存在する空間２５を形成している。そしてこの空間２５は、内部の空気が空間２５外部と流通しないように、密閉されている。空間２５内には密閉するときの空気が存在しているが、密閉されており、空間２５には空気の出入りがない。
【００７７】
密閉された空間２５の形成方法は後述するが、このように内部に空気が存在する閉ざされた空間２５を形成することで、吹き出し風路壁７と吸い込み風路１６との間に、対流のほとんどない空気層が存在することになるため、この空気層が断熱効果を発揮し、冷房運転もしくは除湿運転時に、吹き出し風路６を流れる吹き出し風（冷風）で冷却された吹き出し風路壁７と、吸い込み風路１６を流れる室内空気と、の間の熱の出入りが遮られる。このため、吸い込み風路１６を流れる室内空気が吹き出し風路壁７により冷やされることがなく、吸い込み風路１６の内壁面への結露の発生が回避できる。
【００７８】
吹き出し風路壁７と吸い込み風路１６との間に断熱効果を発揮する空気層を設けるために、両者の間に空気が封じ込められた密閉された空間２５が必要であるわけだが、以下にその空間２５の形成方法について説明する。密閉された空間２５は、吹き出し風路壁７の背面側に樹脂製の断熱カバー２６を配置し、この断熱カバー２６を吹き出し風路７の背面に振動溶着させることで形成する。断熱カバー２６は、吸い込み風路１６に面する板状部材であるカバー板２６ａと、カバー板２６ａから吹き出し風路壁７に向かって突出する接合リブ２６ｂとを有し、これらが一体成形され箱状を成している。
【００７９】
断熱カバー２６は、背面ケース１１と同様に、ＰＳもしくはＡＢＳもしくはＰＰを射出成形した非発泡な樹脂成形品である。断熱材カバー２６のカバー板２６ａの背面、すなわち接合リブ２６ｂが突出する面の反対側の面が吸い込み風路１６に面し、この断熱カバー２６が、吸い込み風路１６の前側下部の隔壁となる。接合リブ２６ｂは、板状で、カバー板２６ａの外周に沿って、もしくは外周に近い位置から筐体１０の前後方向に突出し、上下左右の四方に閉じた状態となるように連続している。この突出した板状の接合リブ２６ｂの先端が吹き出し風路壁７との接合面となる。
【００８０】
背面カバー１１に装着する前の単体部品状態の吹き出し風路壁７の背面に、断熱カバー２６の四方に閉じた接合リブ２６ｂの先端面を接触させるとともに、カバー板２６ａに圧力を付与して断熱カバー２６を吹き出し風路壁７に押し付け、その状態で断熱カバー２６に圧力作用方向と直角な方向への横振動を与える。これにより、吹き出し風路壁７の背面と接合リブ２６ｂの先端面とが摩擦熱により溶着する。接合リブ２６ｂの先端はすべて吹き出し風路壁７の背面に接合される。
【００８１】
このような振動溶着にて、断熱カバー２６の外周に沿って四方に閉じている板状の接合リブ２６ｂの先端が全周にわたって吹き出し風路壁７の背面に接合されるので、吹き出し風路壁７の背面に、吹き出し風路壁７と断熱カバー２６のカバー板２６ａとで前後方向を挟まれ、周壁として上下左右の四方を断熱カバー２６の接合リブ２６ｂで囲まれた空間２５が形成される。そして接合リブ２６ｂの先端がすべて吹き出し風路壁７の背面に接合されているので、形成される空間２５は密閉状態となる。そのため、この空間２５内には溶着時の空気が封じ込められた状態となる。空間２５は密閉状態なので、空間２５には空気の出入りが生じない。
【００８２】
なお、断熱カバー２６の吹き出し風路壁７への接合方法は、振動溶着に限るものではなく、超音波溶着など他の溶着方法であってもよい。また、空間２５の周壁となる接合リブ２６ｂを断熱カバー２６に形成したが、板状の接合リブ２６ｂを吹き出し風路壁７の背面から突出させ、その先端面にカバー板２６ａを接合させる構成にしてもよい。また、吹き出し風路壁７の前面に圧力を作用させて吹き出し風路壁７を断熱カバー２６に押し付け、吹き出し風路壁７を振動させて溶着させるようにしてもよい。
【００８３】
また、図７に示すように、吹き出し風路壁７もしくはカバー板２６ａが湾曲している場合には、接合リブ２６ｂの先端の相手面への溶着が容易に行えないこともあるので、吹き出し風路壁７の背面からカバー板２６ａに向かって、およびカバー板２６ａから吹き出し風路壁７へと向かって、両方からそれぞれ接合リブ２６ｂを突出させ、互いのリブの先端同士を接合（溶着）させるようにすれば、溶着作業の作業性が向上し、接合不良の発生リスクが抑制できる。
【００８４】
吹き出し風路壁７と、この吹き出し風路壁７の後方に吹き出し風路壁７と定められた距離を隔てて位置して、吸い込み風路１６の前側下部の隔壁となって吸い込み風路１６に面する板状部材であるカバー板２６ａと、前後方向に伸びてこれらを接続する板状の接合リブ（リブ）２６ｂと、に囲まれ、接合リブ２６ｂが周壁となって、吹き出し風路壁７と吸い込み風路１６との間に空間２５が形成される。
【００８５】
空間２５の周壁となる接合リブ２６ｂは、カバー板２６ａから突出してその先端が吹き出し風路壁７の背面に接合されていても、吹き出し風路壁７から突出してその先端がカバー板２６ａに接合されていてもよい。また、吹き出し風壁７とカバー板２６ａの両方からそれぞれ接合リブ２６ｂを突出させ、それぞれの接合リブ２６ｂの先端同士を接合させる構成にしてもよい。
【００８６】
また、接合強度を高めるために、空間２５の周壁となる接合リブ２６ｂ以外に、四方に閉じた接合リブ２６ｂの内側に別のリブを設け、そのリブの先端も吹き出し風路壁７の背面に溶着させてもよい。別のリブは、接合リブ２６ｂと接続していてもよいし、接合リブ２６ｂとは接続せずに独立して形成されていてもよい。
【００８７】
このようにして背面に断熱カバー２６を溶着し、空気が存在する密閉の空間２５を形成した吹き出し風路壁７を、爪固定やボルト固定、またはそれらの併用により背面カバー１１の前側に取り付け固定することにより、前後方向に並列する吹き出し風路壁７と吸い込み風路１６との間に空間２５が位置し、その空間２５内の空気による空気層が存在することとなる。
【００８８】
空間２５は密閉されていて空間２５の外部との空気の出入りがないので、空間２５内に存在する空気の対流はほとんど生じない。このため、空間２５内の空気層が断熱効果を発揮し、冷房運転もしくは除湿運転時に、吹き出し風路６を流れる冷たい吹き出し風で冷却された吹き出し風路壁７と、吸い込み風路１６を流れる室内空気と、の間の熱の出入りが遮られる。よって、吸い込み風路１６を流れる室内空気が吹き出し風路壁７により冷やされることがなく、吸い込み風路１６の内壁面への結露の発生が回避できる。したがって、吸い込み風路１６の内壁面には結露水に起因するカビの発生が防止でき、吸い込み風路１６内の清潔レベルを高められるとともに、吸い込み風路１６内の結露水の回収機構を不要とすることができる。
【００８９】
断熱カバー２６は非発泡射出成形されているので、実施の形態１における室内機１００の断熱材カバー２１と同じく、その表面は凹凸のない滑らかな面であり、そのような表面である断熱カバー２６の背面が吸い込み風路１６に臨むことになるので、実施の形態１の室内機１００と同様に、ユーザが第二吸い込み口１４から挿入したハンディモップや雑巾で、付着した塵埃や汚れを簡単に除去することができ、吸い込み風路１６の内部を清潔に維持することができる、という効果も兼ね備える。
【００９０】
この室内機２００は、実施の形態１の室内機１００における断熱材２０の代わりに、密閉された空間２５内の空気による断熱効果を利用して、吹き出し風路壁７と吸い込み風路１６を流れる室内空気との間の熱の移動を遮ろうとするものである。この室内機２００は、前面側から背面側に向かって、吹き出し風路６、吹き出し風路壁７、空気層となる空間２５、断熱カバー２６のカバー板２６ａ、吸い込み風路１６、後側風路壁１８（背面カバー１１）の順に並んでいる。
【００９１】
断熱効果を発揮する空気層を有する密閉された空間２５は、吹き出し風路６と吸い込み風路１６が前後方向に重なる領域（対象領域）すべてに設置されるのが理想である。しかし構造上の物理的な制約によって対象領域すべてに設置することが困難な場合もある。このような場合であっても、複数の断熱カバー２６を用いて空間２５を複数形成するなどして対象領域のできる限り広い範囲に設置することが望ましい。
【００９２】
なお、この実施の形態２による室内機２００も、冷房運転や除湿運転だけでなく、暖房運転時でも、上面の第一吸い込み口３からだけでなく、開閉板１５を開いて第二吸い込み口１４から室内空気を吸い込むようにしてもよい。
【００９３】
実施の形態１の室内機１００および実施の形態２の室内機２００ともに、少なくとも吸い込み風路１６を構成する樹脂部品の吸い込み風路１６に面する表面に、防汚剤または帯電防止剤をコーティングすることによって、吸い込み風路１６を流れる室内空気中の塵埃を吸い込み風路１６の内壁面へ付着しにくくすることができ、ユーザの清掃頻度を低くする効果が得られる。脱着可能な開閉板１５に対してこれらのコーティングを施しても同様な効果が得られる。
【００９４】
ここで帯電防止剤は、吸い込み風路１６を構成する樹脂部品が静電気を帯びにくくして、もしくは静電気の蓄積を防いで、静電作用により塵埃が吸引されて吸い込み風路１６の内壁面に付着するのを防止しようとするものである。
【００９５】
吸い込み風路１６の周壁は、後側風路壁１８と側壁を有する背面カバー１１、前側風路壁１９、断熱材カバー２１もしくは断熱カバー２６によって構成されているが、これらの構成部品の吸い込み風路１６に面する面、すなわち吸い込み風路１６の内壁面となる部分にのみ上述のコーティングを施すようにしてもよいが、それら構成部品のそれぞれをコーティング液に浸漬させ、部品全表面をコーティングするようにしてもよい。
【００９６】
実施の形態３．
この実施の形態３では、第二吸い込み口１４や開閉板１５を利用した暖房運転時の運転制御について説明する。この運転制御を行う空気調和機の構成は、上述した実施の形態１の室内機１００であっても実施の形態２の室内機２００であっても、どちらでもよいのであるが、ここでは実施の形態１の室内機１００を用いて説明することとする。図８に示すように室内機１００はさらに、熱交換器２の温度Ｔｈを測定する伝熱管温度センサー３１を備えている。
【００９７】
熱交換器２はフィンアンドチューブ型であり、左右方向に並列する複数の金属製（ここではアルミ製）薄板であるフィンに、冷媒が流れる金属製の伝熱管（ここでは銅管）がフィンの並列方向に複数列、複数段で挿通されている。この伝熱管の外表面に金属製のホルダーを介して伝熱管温度センサー３１が熱的に接触されていて、伝熱管の表面温度を測定している。この伝熱管温度センサー３１が測定する温度を熱交換器２の温度Ｔｈ（以降、熱交換器温度Ｔｈ）としている。熱交換器温度Ｔｈの情報はリード線を介して制御装置３０に入力される。暖房運転時には熱交換器２は凝縮器として作用し、ここを通過する室内空気に冷媒の凝縮熱を付与し、すなわち通過する室内空気を加熱して、吹き出し口４からは温風が吹き出るようになる。
【００９８】
ここでの室内機１００の暖房運転開始時の動作、すなわち制御装置３０による制御内容について図９に示すフローチャートに基づいて説明する。  ユーザがリモコンにより暖房運転の開始を指示すると、暖房運転が開始される（ステップＳ１）。まず、室外機に設置されている冷凍サイクルの圧縮機を駆動させ（ステップＳ２）、冷凍サイクルに冷媒を循環させる。また、制御装置３０は、上下風向板５の向きを図８に示すようなショートサーキットモードとし（ステップＳ３）、開閉板１５を開き第二吸い込み口１４を開口する（ステップＳ４）。そして、送風ファン１を回転させる（ステップＳ５）。これにより、後述する第二吸い込み口１４を利用した吹き出し風のショートサーキットが形成される（ステップＳ６）。
【００９９】
ここでステップＳ３の上下風向板５のショートサーキットモードとは、図８に示すように、前側上下風向板５ａを吹き出し風が正面方向に吹き出る、いわゆる水平吹きとなる向きとするとともに、後側上下風向板５ｂを、吹き出し風が鉛直線方向下向き（重力方向）より当該室内機１００が設置されている壁面側、すなわち後方へと傾斜した方向に吹き出る向きとする。前側上下風向板５ａがほぼ横向きとなり、後側上下風向板５ｂが下向きよりもさらに壁面寄りに鋭角の範囲で傾斜している。ここで後側上下風向板５ｂが下向き（実質的に重力方向）よりも壁面寄りに傾斜している角度は、重力方向を基準線として反時計回りに３０度となっている。
【０１００】
なお、この上下風向板５のショートサーキットモードであるが、前側上下風向板５ａと後側上下風向板５ｂの両方を、吹き出し風が重力方向よりも当該室内機１００が設置されている壁面側へと傾斜した方向に吹き出る向きにすることでもよい。
【０１０１】
ステップＳ４における開閉板１５が開く際の開き角度であるが、閉じた状態から９０度以下とする。ここでは、最大開き角度（回動角度）を下向きに８０度としているので、その最大角度である８０度まで開いた状態で静止させる。
【０１０２】
送風ファン１はこの室内機１００の通常運転時において回転数が３段階に切り換え可能となっていて、制御装置３０がその回転数を制御する。回転数が最も高く吹き出し風量が最大となる回転数モードが強風であり、回転数が最も低いモードが弱風、強風と弱風のほぼ中間の回転数となるモードが中風である。ステップ５における送風ファン１の回転数は、上記の３つのモードの中の弱風モードが選択され、ここでは６００ｒｐｍとなっている。
【０１０３】
ステップ６のショートサーキットの形成においては、送風ファン１の回転数が弱風モードであって吹き出し風の風速が弱いため、図８にて点線矢印で示されるように、室内機１００下方の壁面方向に傾斜した後側上下風向板５ｂに風向を調整されて重力方向よりも壁面寄りに吹き出された吹き出し風の一部が、送風ファン１の回転による吸引作用にてすぐに第二吸い込み口１４から吸い込まれる現象が生じる。言い換えれば、吹き出し口４から吹き出された吹き出し風が室内を循環することなくすぐに第二吸い込み口１４から吸い込まれる、いわゆるショートサーキットが発生する。
【０１０４】
なお、ステップ５の送風ファン１の回転数であるが、通常運転時では用いられないような弱風モードの回転数よりもさらに低い、例えば４５０ｒｐｍのような回転数に設定して、ショートサーキット形成時の吹き出し風の風速をより弱めるようにしてもよい。吹き出し風の風速が弱い場合では、ステップＳ３における上下風向板５のショートサーキットモードを、吹き出し風が重力方向となるような通常運転時の下吹きの向きに設定することでも、第二吸い込み口１４を使った吹き出し風のショートサーキットが形成可能である。
【０１０５】
このように吹き出し口４から吹き出された吹き出し風の少なくとも一部が第二吸い込み口１４へと流れて第二吸い込み口１４から吸い込まれるショートサーキットが形成されることにより、熱交換器２を通過後の空気が、吸い込み風路１６を通って再度、熱交換器２を通過し熱交換器２で再加熱されることになる。このためショートサーキットのない場合に比べて、吹き出し風の温度を所望する温度に高めるまでに要する時間を短くすることができる。これは、ショートサーキットの形成により、温められた吹き出し風を熱交換器２に再度通過させることにより、ショートサーキットの形成がない場合に比べて、熱交換器温度Ｔｈの温度上昇が早いことが寄与している。
【０１０６】
また、このショートサーキットが形成されている状態においては、開閉板１５が平板１５ａの前端が前側から奥側へと下方に回動して閉状態から開状態になる前開き構成であるので、開閉板１５の平板１５ａが、第二吸い込み口１４の奥縁近傍から垂れ下がった状態となる。そのため、この開いた状態の開閉板１５の平板１５ａが、後側上下風向板５ｂに風向を調整された吹き出し風の一部に対して、壁面方向への流れを塞き止めるとともに第二吸い込み口１４へと導くガイドして機能する。このため、ショートサーキットして第二吸い込み口１４に吸い込まれる吹き出し風量を多く確保することができ、短時間で吹き出し風の温度を所望する温度に高めることに貢献する。
【０１０７】
開閉板１５が、第二吸い込み口１４の前側に回動の支点を有し、平板１５ａの後端が奥側から前側へと下方に回動して開く後開き構成であると、開いた状態の平板１５ａが、第二吸い込み口１４の前側に下がって、後側上下風向板５ｂに風向を調整された吹き出し風の第二吸い込み口１４へ向かう流れを遮るようになるので、第二吸い込み口１４から再度吸い込まれる吹き出し風の風量が大きく減少し、ショートサーキットによる効果、すなわち吹き出し風の温度を所望する温度に高めるまでに要する時間を短くする効果が、前開き構成の開閉板１５に比べて大幅に劣ることになる。第二吸い込み口１４を利用した吹き出し風のショートサーキットにより暖房運転立ち上がり時に室温を早く上昇させるのには、前開き構成の開閉板１５の方が効果的であり適している。
【０１０８】
ステップＳ６で第二吸い込み口１４を使った吹き出し風のショートサーキットが形成されると、ステップＳ７にて、制御装置３０が、伝熱管温度センサー３１が測定する熱交換器温度Ｔｈが予め定められた温度Ｔａ以上であるか否かを判断し、Ｔｈ≧Ｔａとなったならば、ステップＳ８に進み、上下風向板５のショートサーキットモードを解除しショートサーキットを解消して、ステップＳ９の通常暖房運転へと移行する。ステップＳ９に進んですぐの段階では、まだ室温が設定温度までは到達していない場合が多く、ステップＳ９の通常暖房運転に移行すると、制御装置３０は、送風ファン１の回転数を中風モードや強風モードに上昇させるとともに、上下風向板５を、吹き出し風が床面に向かうようになる、すなわち下吹きとなる向きに変更することとなる。上下風向板５のショートサーキットモードが通常運転時の下吹きとなる向きである場合は、その向きを維持することになる。
【０１０９】
なお、上記した温度Ｔａは、この室内機１００ではＴａ＝３８℃に設定している。通常暖房運転に移行して、ショートサーキットが形成されているときよりも送風ファン１の回転数が高くなって、吹き出し風が室内に居る人に直接に当たるようなことがあったとしても、熱交換器温度Ｔｈが体温よりも高い３８度以上となっているので、当たった人が冷風感を感じてしまうことを避けられる。温度Ｔａ＝３８℃は一例であり、何℃に設定するかは設計マターであるが、冷風感の排除のためには、人の体温より高く設定するのが望ましい。
【０１１０】
ステップＳ３における上下風向板５のショートサーキットモードで、前側上下風向板５ａを水平吹きとなる向きにするのも、ショートサーキット形成中の送風ファン１の回転数が低いとはいえ、まだＴｈ＜Ｔａの状態の熱交換器２を通過した吹き出し風がもし直接人体に当たってしまったらその人へ冷風感を与えることになってしまうので、そのような事態を避けるために、人体に直接吹き出し風が当たる可能性が低い水平吹きとなる向きとしている。
【０１１１】
ステップＳ９で通常暖房運転に移行すると、この室内機１００では開閉板１５を閉じ、それ以降の暖房運転中は開閉板１５を開けずに第二吸い込み口１４を閉ざした状態とするようにしている。暖房運転中は、吹き出される温風（暖気）の密度が室内空気よりも小さいため、上下風向板５の調整が自動の場合には吹き出し風を床面に向けて吹き出す下吹きとなる向きとする。このため、室内温度とユーザによる設定温度の差が小さくなると、制御装置３０は送風ファン１の回転数を弱風モードまで下げる。
【０１１２】
吹き出し風が下吹きで風速が弱い状態で、吹き出し口４の後方に位置する第二吸い込み口１４が開口していると、再びショートサーキットが形成される恐れがある。室内温度とユーザによる設定温度の差が小さい暖房の定常運転状態において、ショートサーキットが形成されて吹き出し風が再加熱されることは、熱交換能力を低下させエネルギー消費量の増加を招く。このため、暖房の定常運転中に第二吸い込み口１４へのショートサイクルが形成されないように暖房運転中は開閉板１５を閉ざしている。
【０１１３】
しかし、下吹きの方向が室内機１００より前方となるように、上下風向板５の向きを重力方向を基準線として例えば時計回りに２０度のようにして、第二吸い込み口１４からのショートサーキットが起こりにくくすることで、ステップＳ８で通常暖房運転に移行した後であっても、開閉板１５を開いて第二吸い込み口１４を開口してもよい。
【０１１４】
または、ステップＳ９で通常暖房運転に移行した後では、制御装置３０が送風ファン１の回転数に応じて開閉板１５の開閉を制御してもよい。送風ファン１の回転数が大きく吹き出し風の風速が強いときには、第二吸い込み口１４から吹き出し風が直接に吸い込まれることは起こりにくいので、例えば、強風モードと中風モードのときは開閉板１５を開いておき、弱風モードになると開閉板１５を閉じるというような制御を行ってもよい。どちらであっても、通常暖房運転へ移行した後でショートサーキットの形成を回避でき、第二吸い込み口１４を使用して空調対象室内の空気の循環を良好とすることができる。
【０１１５】
なお、冷房運転時や除湿運転時は、吹き出される冷気の密度が室内空気よりも大きいこと、またそのために、制御装置３０が上下風向板５を吹き出し風が水平吹きとなる向きに制御することにより、送風ファン１の回転数に関わらずショートサーキットが形成されにくいので、運転中は常時、開閉板１５が開いて第二吸い込み口１４が開口された状態となる。
【０１１６】
また、ステップＳ２〜Ｓ５はほぼ同時に行われるような説明であったが、ほぼ同時のステップＳ２〜Ｓ４の終了からしばらく時間をおいて、ステップＳ５の制御を行うようにしてもよい。または、ステップＳ２とＳ３の終了からしばらく時間をおいて、ステップＳ４とＳ５の制御をほぼ同時に行う、もしくはステップＳ２とＳ４を実行しその終了からしばらく時間をおいて、ステップＳ３とＳ５の制御をほぼ同時に行うようにしてもよい。いずれの場合でも、ステップＳ２の圧縮機駆動開始からステップＳ５の送風ファン１の回転開始までにしばらく時間をおくようにするのである。
【０１１７】
圧縮機の起動直後は冷媒が冷凍サイクルを循環しているとはいえ、熱交換器温度Ｔｈは室温に近い温度であるので、もし吹き出し風が人体に当たってしまったらその人に冷風感を与えてしまう。このため、送風ファン１は回転させずに循環する冷媒の凝縮熱だけである程度まで熱交換器温度Ｔｈを高めるのである。送風ファン１が回転していないので吹き出し口４からの吹き出し風はなく、温度が低い吹き出し風が人体に当たることはない。
【０１１８】
ステップＳ２の完了からステップＳ５の開始までにしばらくおく時間であるが、例えば１分間など予め定められた時間とする制御でもよいし、熱交換器温度Ｔｈが予め定められた温度Ｔｂ（ただし、Ｔｂ＜Ｔａ）以上となるまでの時間としてもよい。  なお、ステップＳ３とＳ４のいずれかはステップＳ２とほぼ同時に行って、当該空気調和機が暖房運転の指示を受けて開始したことを、ユーザが目で見て認識できるようにしておく必要がある。
【０１１９】
また、ステップＳ７にて、熱交換器温度Ｔｈが予め定められた温度Ｔａ以上であるか否かを判断するのではなく、暖房運転開始の指示、すなわち当該空気調和機の暖房運転の開始からの経過時間が予め定められた時間以上であるか否かを判断し、予め定められた時間以上であるならばステップＳ８に進むようにしてもよい。
【０１２０】
以上のように、暖房運転開始時に吹き出し風の少なくとも一部に対して、第二吸い込み口１４を使ったショートサーキットを形成し、熱交換器２を通過した空気を吹き出し口４からすぐに第二吸い込み口１４から吸い込ませて熱交換器２で再加熱させるので、ショートサーキットのない場合に比べて、吹き出し風の温度がユーザの所望する温度に高まるまでの時間を短くすることができ、ユーザの運転開始指示から短時間で吹き出し口からユーザが所望する温度の温風を吹き出すことができるようになる。このため、暖房する部屋の室温が設定温度に到達までの時間を短縮でき、ユーザが所望する暖かい環境を早く提供することができる。
【０１２１】
吹き出し風のショートサーキットが形成されている状態では、前開き構造の開閉板１５が第二吸い込み口４の後端部に垂れ下がり、吹き出し口４からの吹き出し風の少なくとも一部を第二吸い込み口１４へと導くガイドとして機能するので、ショートサーキットして第二吸い込み口１４に吸い込まれる吹き出し風量を多く確保することができ、吹き出し風の温度が所望する温度に高まるまでの時間の短縮化に大きく貢献する。
【０１２２】
実施の形態３による暖房運転開始時の制御は、室内機１００だけではなく、実施の形態２の室内機２００に対しても適用でき、同様な効果を得ることができる。なお、断熱材カバー２１を備えずに断熱材２０の背面が吸い込み風路１６に面している構造の室内機であっても、また、吹き出し風路壁７の背面が吸い込み風路１６に面している従来構造であっても、実施の形態３による暖房運転開始時の制御を行うことで、吹き出し風の温度が所望する温度に高まるまでの時間を短くすることができ、ユーザが所望する暖かい環境を早く提供できる効果が得られる。
【符号の説明】
【０１２３】
１  送風ファン、２  熱交換器、３  第一吸い込み口、４  吹き出し口、５  上下風向板、６  吹き出し風路、７  吹き出し風路壁、１０  筐体、１４  第二吸い込み口、１５  開閉板、１６  吸い込み風路、２０  断熱材、２１  断熱材カバー、２５  空間、２６ａ  カバー板（板状部材）、２６ｂ  リブ、３０  制御装置。
【図１】
2015169422.tif 000003
【図２】
2015169422.tif 000004
【図３】
2015169422.tif 000005
【図４】
2015169422.tif 000006
【図５】
2015169422.tif 000007
【図６】
2015169422.tif 000008
【図７】
2015169422.tif 000009
【図８】
2015169422.tif 000010
【図９】
2015169422.tif 000011